(57)【要約】【課題】任意の位置でエンジンの回転数を固定し、かつ、簡単にアイドリング状態から再びエンジンを任意の回転数に上げることができるスロットルレバーを提供する。【解決手段】エンジンのスロットルをケーブルを介して操作して前記エンジンの回転数を制御するスロットルレバーであって、メインレバー、コントロールレバー、第１リンク部材、前記第１リンク部材の先端に設けた第４軸に接続された第２リンク部材とを備え、前記第１リンク部材と前記第２リンク材との接続部にケーブルの先端が固定されており、前記メインレバーが、グリップ部材に近付く方向へ回動操作されると、前記第１リンク部材と前記第２リンク部材の前記接続部が前記ケーブルを引っ張る方向に移動すると前記エンジンの回転数が上がり、前記メインレバーの回動操作が解除されると前記エンジンの回転数はアイドリング状態となる。【選択図】図１
2014034901.tif 000002
【特許請求の範囲】
【請求項１】
エンジンのスロットルをケーブルを介して操作して前記エンジンの回転数を制御するためのスロットルレバーであって、
第１軸を支点として回動操作されるメインレバーと、
第２軸を支点として回動操作され、任意の位置で固定されるコントロールレバーと、
第３軸を支点として回動可能に配置された第１リンク部材と、
前記第１リンク部材の先端に設けた第４軸に、後端が回動可能に接続された第２リンク部材と、を備え、
前記第１リンク部材および前記第２リンク部材は、前記メインレバーと前記コントロールレバーとの間に、略Ｖ字状を形成するように配置され、前記第１リンク部材と前記第２リンク材とが接続されている接続部に、前記スロットルと繋がれたケーブルの先端が固定されており、
前記メインレバーが、初期状態から該スロットルレバーが取り付けられているグリップ部材に近付く方向へ回動操作されると、前記メインレバーの先端が前記第２リンク部材と当接して前記第２リンク部材が前記第４軸を支点として回動し、前記第２リンク部材の先端が前記コントロールレバーと当接すると、さらに、前記第１リンク部材が前記第３軸を支点として回動することで、前記接続部が前記ケーブルを引っ張る方向に移動すると前記エンジンの回転数が上がり、
前記メインレバーによる前記第１リンク部材および前記第２リンク部材の移動は、前記接続部が前記コントロールレバーと当接すると停止され、前記接続部の移動量が前記ケーブルの先端の移動量となり、前記接続部の移動量は前記コントロールレバーが停止された位置によって変化し、前記メインレバーを最もグリップ部材に近付けて停止させた状態で前記コントロールレバーを回動させると、前記コントロールレバーの回動に応じて前記接続部が移動することによって前記エンジンの回転数が変化し、
前記メインレバーには初期状態に戻る方向に弾性力が作用していることによって、前記メインレバーの回動操作が解除されると前記エンジンの回転数はアイドリング状態となることを特徴とするスロットルレバー。
【請求項２】
前記弾性力は、前記第１軸に設けられたバネ部材により生じることを特徴とする請求項１に記載のスロットルレバー。
【請求項３】
前記メインレバー、前記コントロールレバー、前記第１リンク部材および前記第２リンク部材がハウジング内に配置され、前記メインレバーおよび前記コントロールレバーは、操作する部分が前記ハウジングから突出していることを特徴とする請求項１または２に記載のスロットルレバー。
【発明の詳細な説明】
【技術分野】
【０００１】
本発明は、刈払機等においてエンジンのスロットルをケーブルを介して操作するためのスロットルレバーに関する。
【背景技術】
【０００２】
刈払機のように、駆動装置であるエンジンのスロットルの開閉を手元で操作して、刈払機の回転刃の回転を調節する装置では、装置のグリップ部材等に設けられたスロットルレバーによってスロットルの開閉を操作し、回転刃の回転を調節しながら作業する構造が用いられている。
【０００３】
前記スロットルレバーは、レバーを操作することによってレバーに繋がれたケーブルを介してスロットルが開閉されてエンジンの回転数が調節されて回転刃の回転が調節され、レバーを離すとエンジンはアイドリングの状態となる。そして、レバーを握った状態ではエンジンの回転数が一定に保たれて、刈払機を使用することができる。
【０００４】
スロットルレバーに求められる機能としては、作業性の点ではエンジンが所定の回転数を維持できるようにレバーを固定すること、また、安全性の点ではレバーを離したときにエンジンをアイドリング状態に戻すことができること等がある。
【０００５】
このような機能を備えたスロットルレバーの例としては、例えば引用文献１のように、任意のエンジン出力を保つためのロックレバー３を設け、さらに、ロックレバー３を離すとエンジンがアイドリング状態となるものが存在する。
【先行技術文献】
【特許文献】
【０００６】
【特許文献１】特開２０１１−３３００８号公報
【発明の概要】
【発明が解決しようとする課題】
【０００７】
しかしながら、特許文献１のような構造では、エンジンが所定の回転数の状態からアイドリング状態へと戻った後、再び所定の回転数の状態に戻すためには、再度、調節が必要であり、調節の時間と手間が問題となっている。
【０００８】
そこで、本発明は前記問題を解決するために、一度設定した回転数に簡単に戻すことが出来るスロットルレバーを提供することを目的とする。
【課題を解決するための手段】
【０００９】
本発明のスロットルレバーは、エンジンのスロットルをケーブルを介して操作して前記エンジンの回転数を制御するためのスロットルレバーであって、第１軸を支点として回動操作されるメインレバーと、第２軸を支点として回動操作され、任意の位置で固定されるコントロールレバーと、第３軸を支点として回動可能に配置された第１リンク部材と、前記第１リンク部材の先端に設けた第４軸に、後端が回動可能に接続された第２リンク部材と、を備え、前記第１リンク部材および前記第２リンク部材は、前記メインレバーと前記コントロールレバーとの間に、略Ｖ字状を形成するように配置され、前記第１リンク部材と前記第２リンク材とが接続されている接続部に、前記スロットルと繋がれたケーブルの先端が固定されており、前記メインレバーが、初期状態から該スロットルレバーが取り付けられているグリップ部材に近付く方向へ回動操作されると、前記メインレバーの先端が前記第２リンク部材と当接して前記第２リンク部材が前記第４軸を支点として回動し、前記第２リンク部材の先端が前記コントロールレバーと当接すると、さらに、前記第１リンク部材が前記第３軸を支点として回動することで、前記接続部が前記ケーブルを引っ張る方向に移動すると前記エンジンの回転数が上がり、前記メインレバーによる前記第１リンク部材および前記第２リンク部材の移動は、前記接続部が前記コントロールレバーと当接すると停止され、前記接続部の移動量が前記ケーブルの先端の移動量となり、前記接続部の移動量は前記コントロールレバーが停止された位置によって変化し、前記メインレバーを最もグリップ部材に近付けて停止させた状態で前記コントロールレバーを回動させると、前記コントロールレバーの回動に応じて前記接続部が移動することによって前記エンジンの回転数が変化し、前記メインレバーには初期状態に戻る方向に弾性力が作用していることによって、前記メインレバーの回動操作が解除されると前記エンジンの回転数はアイドリング状態となることを特徴とする。
【００１０】
前記弾性力は、前記第１軸に設けられたバネ部材により生じる構造を用いることができ、さらに、前記メインレバー、前記コントロールレバー、前記第１リンク部材および前記第２リンク部材がハウジング内に配置され、前記メインレバーおよび前記コントロールレバーは、操作する部分が前記ハウジングから突出している構造とする。
【発明の効果】
【００１１】
本発明のスロットルレバーは、エンジンのスロットルをケーブルを介して操作して前記エンジンの回転数を制御するためのスロットルレバーであって、第１軸を支点として回動操作されるメインレバーと、第２軸を支点として回動操作され、任意の位置で固定されるコントロールレバーと、第３軸を支点として回動可能に配置された第１リンク部材と、前記第１リンク部材の先端に設けた第４軸に、後端が回動可能に接続された第２リンク部材と、を備え、前記第１リンク部材および前記第２リンク部材は、前記メインレバーと前記コントロールレバーとの間に、略Ｖ字状を形成するように配置され、前記第１リンク部材と前記第２リンク材とが接続されている接続部に、前記スロットルと繋がれたケーブルの先端が固定されており、前記メインレバーが、初期状態から該スロットルレバーが取り付けられているグリップ部材に近付く方向へ回動操作されると、前記メインレバーの先端が前記第２リンク部材と当接して前記第２リンク部材が前記第４軸を支点として回動し、前記第２リンク部材の先端が前記コントロールレバーと当接すると、さらに、前記第１リンク部材が前記第３軸を支点として回動することで、前記接続部が前記ケーブルを引っ張る方向に移動すると前記エンジンの回転数が上がり、前記メインレバーによる前記第１リンク部材および前記第２リンク部材の移動は、前記接続部が前記コントロールレバーと当接すると停止され、前記接続部の移動量が前記ケーブルの先端の移動量となり、前記接続部の移動量は前記コントロールレバーが停止された位置によって変化し、前記メインレバーを最もグリップ部材に近付けて停止させた状態で前記コントロールレバーを回動させると、前記コントロールレバーの回動に応じて前記接続部が移動することによって前記エンジンの回転数が変化し、前記メインレバーには初期状態に戻る方向に弾性力が作用していることによって、前記メインレバーの回動操作が解除されると前記エンジンの回転数はアイドリング状態となることにより、簡単な操作で刈払機等のエンジンを所定の回転数で維持しながら作業が可能となり、さらに、レバーを離したときに簡単にエンジンがアイドリング状態となり、そして、アイドリング状態からメインレバーを握るだけで、アイドリング状態となる直前のエンジンの回転数に簡単に回復させることが可能となる。
【図面の簡単な説明】
【００１２】
【図１】本発明のスロットルレバーの内部構造を示す側面図である。
【図２】本発明のスロットルレバーの内部構造を示す側面図である。
【図３】本発明のスロットルレバーの内部構造を示す側面図である。
【図４】本発明のスロットルレバーの内部構造を示す側面図である。
【図５】本発明のスロットルレバーの内部構造を示す側面図である。
【図６】スロットルレバーを取り付けた刈払機の概略図である。
【図７】本発明のスロットルレバーの側面図である。
【発明を実施するための形態】
【００１３】
本発明のスロットルレバー１を、図を用いて以下に詳細に説明する。図１〜図５が本発明のスロットルレバー１の内部構造を示す側面図であり、図７が本発明のスロットルレバー１の外観図であり、図６がスロットルレバー１を取り付けた刈払機２０の概略図である。
【００１４】
本発明のスロットルレバー１は、図６に示すような刈払機２０等に用いられて駆動装置であるエンジン２１のスロットルを手元で操作してエンジン２１の回転数を制御するためのもので刈払機２０のグリップ付近に設けられるものであり、図１〜５に示すように、ハウジング６内に、第１軸７を支点として回動操作されるメインレバー２と、第２軸８を支点として回動操作され、任意の位置で停止されるコントロールレバー３と、第３軸９を支点として回動可能に配置された第１リンク部材４と、前記第１リンク部材４の先端に設けた第４軸１０に、後端が回動可能に接続された第２リンク部材５と、を備える。
【００１５】
前記メインレバー２は、略Ｌ字型の形状を有し、Ｌ字型の角の部分に設けられた前記第１軸７によって回動可能に前記ハウジング６に配置されており、先端部分が前記第２リンク部材５と当接する方向に少し曲がった形状となっている。そして、図７に示すように、Ｌ字型の前記メインレバー２の一部は前記ハウジングの開口１４から突出して、刈払機の使用者が操作する部分となっている。前記メインレバー２の操作する部分を握って回動操作を行うと前記メインレバー２が回動し、前記メインレバー２の先端が前記第２リンク部材５と当接してそのまま前記第２リンク部材５を押すことにより前記第２リンク部材５および前記第１リンク部材４も移動させる構造となっている。そして、前記メインレバー２の回動範囲（グリップから離れる方向の範囲）は、前記ハウジング６内面と当接すること、あるいは開口１４の縁と当接することによって制限されている。
【００１６】
前記コントロールレバー３は、直線形状を有し、略中間部分に設けられた前記第２軸８によって回動可能に前記ハウジング６に配置されている。前記第２軸８は前記コントロールレバー３を回動可能、かつ所定の位置で固定可能とする構造を用いており、例えば、ウェーブワッシャ、ワッシャー、ネジおよびナットによって構成されている。図７に示すように、前記コントロールレバー３の一部が前記ハウジング６の開口１５から突出しており、突出した部分を使用者が操作することで前記コントロールレバー３を回動させ、所定の位置で停止させることができる。
【００１７】
前記第１リンク部材４と前記第２リンク部材５とは、前記メインレバー２によって移動されていない初期状態では、略Ｖ字状となるように配置されている。前記第１リンク部材４と前記第２リンク部材５との接続部分に設けられている前記第４軸１０はボルト・ナットを用いて互いに回動可能に固定したものである。前記第１リンク部材４と前記第２リンク部材５との接続部分には、スロットルと繋がれたケーブル１３の先端が固定されているために、前記第１リンク部材４と前記第２リンク部材５との接続部分の移動によって、前記ケーブル１３が引っ張られることとなる。前記第１リンク部材４と前記第２リンク部材５との接続部に設けた凹部に、前記ケーブルの先端に設けた金具が嵌め込まれることによって前記ケーブル１３の先端が固定されている。
【００１８】
前記メインレバー２の操作する部分を握って回動操作を行うと前記メインレバー２が回動し、前記メインレバー２の先端が前記第２リンク部材５と当接してそのまま前記第２リンク部材５を押すことにより前記第２リンク部材５が前記第４軸１０を支点として回動し、さらに前記第１リンク部材４も前記第３軸９を支点として回動する構造となっており、前記接続部の移動は前記コントロールレバー３と当接するまで行われる。従って、このような前記メインレバー２の回動によって行われる前記第１リンク部材４と前記第２リンク部材５の移動の際の移動量、特に前記第１リンク部材４と前記第２リンク部材５との接続部の移動量は前記コントロールレバー３の位置によって変化する。
【００１９】
前記コントロールレバー３は、前記第２軸８を支点として図１に示す位置と、図３に示す位置の間で回動可能であり、その間の任意の位置で停止させることできる。前記コントロールレバー３が回動する範囲は、ストッパー、前記第１リンク部材４と前記第２リンク部材５との接続部、あるいは前記コントロールレバー３が突出している開口１５の大きさによって制限されており、前記コントロールレバー３が固定される位置によって前記接続部の移動量は変化する。
【００２０】
図１に示す前記コントロールレバー３の位置は、前記第１リンク部材４と前記第２リンク部材５との接続部の移動量が最も大きくなる位置、つまり、前記ケーブル１３の先端が最も引っ張られる位置であり、図３に示す前記コントロールレバー３の位置は、前記第１リンク部材４と前記第２リンク部材５との接続部の移動量が最も小さくなる又は移動量がゼロとなる位置であり、前記ケーブル１３の先端の移動量が最も小さくなる又は移動量がゼロとなる位置である。
【００２１】
前記コントロールレバー３を図１の位置と図３の位置との間で移動させると、前記接続部の移動量が変化し、任意の位置、例えば、図３，４に示すような中間の位置で前記コントロールレバー３を停止させると、前記接続部の移動量を任意の量で固定することができる。また、前記コントロールレバー３は前記接続部が当接する部分１８は、図１の高さ方向に拡幅されており、確実に接続部が当接する形状となっている。
【００２２】
前記メインレバー２に力を加えていない状態（使用者がメインレバー２を握っていない状態）である初期状態の各部材の配置は、図１に示す状態である。この時、前記メインレバー２は、グリップから最も離れており、前記ハウジング６内では前記ハウジング６の内面と当接した状態となっており、前記メインレバー２の先端は、前記第２リンク部材５とは離れた状態となっていると同時に、前記第２リンク部材５は、前記コントロールレバー３からも離れた状態となっている。
【００２３】
前記ケーブル１３にはスロットルを閉じる方向に引っ張る力が絶えず加えられているために、前記第１リンク部材４と前記第２リンク部材５との接続部には前記メインレバー２の第１軸７に近づく方向に力が加えられている。そして、初期状態では、前記第１リンク部材４と前記第２リンク部材５との接続部が前記第１軸７に最も近づいた位置にあり、この時、前記第１リンク部材４と前記第２リンク部材５との接続部は前記コントロールレバー３から最も離れた状態となっている。
【００２４】
前記メインレバー２に力を加えていない初期状態の時には、前記ケーブル１３の引っ張りを解除してエンジン２１をアイドリング状態とするために、弾性力を利用して前記メインレバー２が、初期状態（前記グリップから離れた状態）の位置へと戻り、前記第２リンク部材５を押しているのを解除するように構成している。前記弾性力を発生させるために弾性部材を用いるが、本実施形態では、前記第１軸７の位置に設けたバネ部材１２を用いており、前記バネ部材１２が前記メインレバー２を初期状態の位置へと移動させる方向に作用しており、前記メインレバー２を握るのをやめて回動操作を解除すると、前記メインレバー２は初期状態に戻る。
【００２５】
このように、前記メインレバー２が前記弾性力によって初期状態に戻ると、前記第２リンク部材５に作用していた前記メインレバー２による力が解除され、前記前記第１リンク部材４と前記第２リンク部材５との接続部が前記ケーブルによって引っ張られて初期状態に戻り、前記エンジン２１はアイドリング状態となる。このような前記接続部の移動を補助するために、前記第２リンク部材５を、前記コントロールレバー３側から前記メインレバー２側へと引っ張るバネ部材１１が設けられている。さらに、前記第１リンク部材４と前記第２リンク部材５との接続部には、前記第２リンク部材５を前記第１リンク部材４に対して時計方向に回転させるように作用するバネ部材を設けることも可能である。このようなバネ部材９によって前記接続部の初期状態への移動はスムーズに行われる。
【００２６】
本実施形態では、図１〜５に示すように、前記第１リンク部材４が前記第２リンク部材５の上に配置されており、前記第２リンク部材５は前記第１リンク部材４の下を移動する構造となっている。そのため、前記第１リンク部材４の支点となる前記第３軸９は、前記ハウジング６内に設けられたアーム部材１６に配置されており、前記ハウジング６内で中空に位置する構造である。前記アーム部材１６は各部材が移動する範囲外の所から前記第３軸９を設ける位置まで延伸された部材であり、前記コントロールレバー３を乗り越えて延伸されている。このようなアーム部材１６は必須な部材ではなく、例えば、前記第１リンク部材４と前記第２リンク部材５の上下関係を逆にして前記第３軸９を直接ハウジング６に配置することも可能である。
【００２７】
本発明のスロットルレバー１は、刈払機２０等のアームのグリップ付近に取り付けられるものであり、前記スロットルレバー１のメインレバー２を手元で操作することによって、刈払機２０等のエンジン２１の回転数を調節して制御することができる。そこで、本発明のスロットルレバー１の具体的な操作方法ついて説明する。
【００２８】
図１に示すような初期状態では、エンジン２１はアイドリング状態であり、使用者はメインレバー２を握ってエンジン２１の回転数を上げる。この時、コントロールレバー３は所定の位置、例えば図１に示すように、エンジン２１の回転数を最も高くすることができる位置で固定しておく。前記メインレバー２を握って回動操作を行うと、前記メインレバー２が回動して先端が前記第２リンク部材５と当接し、そのまま前記第２リンク部材５を前記第４軸１０を支点として回動させる。この時、前記第１リンク部材４も前記第２リンク部材５の回動に伴って、前記第３軸９を支点として回動する。
【００２９】
このまま、前記メインレバー２を握り続けると、前記第２リンク部材５の先端が前記コントロールレバー３と当接し、その後、前記第１リンク部材４と前記第２リンク部材５の接続部が前記コントロールレバー３と当接して、前記ケーブル１３が最も引っ張られた状態となる。この時が前記エンジン２１の回転数が最も上がった状態となる。このような状態からさらに前記メインレバー２に力を加えようとしても前記接続部の移動が前記コントロールレバー３によって停止されているために、前記メインレバー２の回動も停止され、前記エンジン２１の回転数は最も上がった状態で維持され、刈払機２０の回転刃２２は最も高速で回転した状態となる。
【００３０】
このような状態から、エンジン２１の回転数を調節して、刈払機２０の回転刃２２の回転数を所定の回転数とするために、前記コントロールレバー３を使用する。前記メインレバー２を握って力を加えたままの状態で前記コントロールレバー３を反時計方向に回動させると、前記コントロールレバー３によって前記接続部が押されてエンジン２１の回転数を下げる方向（初期状態に戻る方向）に前記接続部が移動する。この時、前記メインレバー２は停止したままの状態でその先端で、前記第２リンク部材５が押されているために、前記第２リンク部材５は前記メインレバー２の先端が当接している箇所を支点として回動しているような状態になる。前記第２リンク部材５の移動に伴い、前記第１リンク部材４も移動する。
【００３１】
このような前記コントロールレバー３の回動操作によって前記接続部が移動されてエンジン２１の回転数が下がり、それに合わせて回転刃２２の回転数が下がるので使用者が適切だと思う回転数になるまで前記コントロールレバー３を移動させる。そして、適切な回転数になったと判断して前記コントロールレバー３の移動を、例えば図３の位置で停止すると、前記接続部の移動が停止されて前記エンジン２１は所定の回転数で維持される。このような状態では、前記メインレバー２をしっかりと握った状態なので刈払機２０を安定した状態で使用できる。
【００３２】
前記コントロールレバー３の操作の際に、エンジン２１の回転数を下げすぎた時には、前記コントロールレバー３を反転させて時計方向に回転させればよい。すると、前記メインレバー２の力が前記第２リンク部材５に作用しているので、前記接続部は前記コントロールレバー３と当接した状態を維持する方向へと移動するので、前記接続部はエンジン２１の回転数を上げる方向へと移動する。このように、前記メインレバー２を握った状態であれば、前記コントロールレバー３を操作する方向を変更しても、それに合わせて前記接続部も方向を変えて移動するので、簡単にエンジン２１の回転数を上げ下げすることができる。
【００３３】
このような回転数が安定した状態から、刈払機２０による作業を一時的に中断するためにエンジン２１の回転数を下げる時には、前記メインレバー２を握るのをやめて手を離す。すると、前記メインレバー２に手によって加えられていた力が解除されて回動操作が解除されると、前記バネ部材１２による弾性力によって、前記メインレバー２はグリップから離れる方向に回動する。
【００３４】
すると、前記メインレバー２によって前記第２リンク部材５に作用していた力が解除されるので、今度は前記接続部に作用している前記ケーブルによる引張力および前記第２リンク部材５に作用しているバネ部材９の弾性力によって、前記第１リンク部材４および前記第２リンク部材５が移動して、前記接続部はエンジン２１の回転数を下げる初期状態の方向に移動して図４の状態となり、エンジン２１はアイドリング状態となる。
【００３５】
本発明のスロットルレバー１は、前記メインレバー２および前記コントロールレバー３に対して初期状態に戻す力が絶えず作用していることから、前記メインレバー２を握るのをやめて回動操作を解除して前記メインレバー２に作用している力を解除すると、簡単に前記メインレバー２は初期状態に戻り、エンジン２１をアイドリング状態とすることができる。これにより、本発明のスロットルレバー１は、使用者が意図せずにスロットルレバー１から手を離した時に自動的にエンジン２１がアイドリング状態となることから、刈払機２０の事故を防ぐ効果を生じる。
【００３６】
さらに、刈払機２０の作業中断後に作業を再開する時、前記メインレバー２を再び握ると、前記メインレバー２の回動によって前記第２リンク部材５が押されて前記接続部が前記コントロールレバー３と当接するまで、前記ケーブル１３を引っ張る方向に移動する。そして、前記接続部が前記コントロールレバー３と当接されて停止すると、前記ケーブル１３の引っ張りも停止し、図３の状態に戻るので、前記エンジン２１の回転数の上昇も、作業を中断する前と同じ回転数で停止する。このように、本発明のスロットルレバー１は、任意の位置で固定できるコントロールレバー３を用いることで、メインレバー２を握っている時だけでなく、一度離して再び握った時にも簡単に元のエンジン２１の回転数に戻すことができるようになる。
【００３７】
また、図５に示すように、前記コントロールレバー３を最もエンジンの回転数を下げた状態でメインレバー２を握ったとしても、前記接続部の移動量がほぼゼロとなるように前記コントロールレバー３の回動範囲を設定しておくと、メインレバー２をいくら回動操作してもエンジン２１の回転数が上がらずにアイドリング状態を保つことができる。これによって、メインレバー２に不用意に力が加わってエンジン２１の回転数が勝手に上昇するのを防止することが可能となる。
【００３８】
これまでのスロットルレバー１の操作に関する説明では、コントロールレバー３の最初の位置を、エンジン２１の回転数が最も高くなる位置からメインレバー２を操作する場合について説明してきたが、コントロールレバー３を、図３，４に示すような中間の位置に予め固定しておき、メインレバー２を回動操作した後、コントロールレバー３を回動操作してエンジン２１の回転数を調節することも可能である。あるいは、コントロールレバー３を図５に示すような位置に固定しておき、メインレバー２を回動操作した後、コントロールレバー３を操作して徐々にエンジン２１の回転数を上げながら所定の位置で停止させることも可能である。
【００３９】
このように本発明のスロットルレバー１は様々な方法で使用することが可能であり、どのような使用方法でも安全にかつ簡単に操作することができる。
【符号の説明】
【００４０】
１    スロットルレバー
２    メインレバー
３    コントロールレバー
４    第１リンク部材
５    第２リンク部材
６    ハウジング
７    第１軸
８    第２軸
９    第３軸
１０  第４軸
１１  バネ部材
１２  バネ部材
１３  ケーブル
１４  開口
１５  開口
１６  アーム部材
１７  グリップ
２０  刈払機
２１  エンジン
２２  回転刃
【図１】
2014034901.tif 000003
【図２】
2014034901.tif 000004
【図３】
2014034901.tif 000005
【図４】
2014034901.tif 000006
【図５】
2014034901.tif 000007
【図６】
2014034901.tif 000008
【図７】
2014034901.tif 000009